(57)【要約】【課題】套管を電力ケーブルに容易に装着することができるようにする。【解決手段】套管２の貫通穴８に電力ケーブル１０を挿入して電力ケーブル終端接続部１を組み立てる際、套管２を電力ケーブル１０の絶縁体（シース１４）側に向けて牽引し、導体引出棒１５を取り付けた電力ケーブル１０を套管２の貫通穴８を通じてひだ付部５の先端側へ向けて牽引するように、套管２と電力ケーブル１０を互い違いの方向に牽引することによって、電力ケーブル１０に張力を付与して電力ケーブル１０の直線性を維持した状態で、套管２の貫通穴８に電力ケーブル１０を挿入することが可能になり、套管２を電力ケーブル１０に容易に装着することができる。【選択図】図２
2011147301.tif 000002
【特許請求の範囲】
【請求項１】
套管の貫通穴に電力ケーブルを挿入し、前記電力ケーブルに前記套管を装着して電力ケーブル終端接続部を組み立てる電力ケーブル終端接続部の組立方法であって、
段剥ぎ処理された前記電力ケーブルの導体の先端に取り付けた導体引出棒を前記套管の後端側から挿入する際に、前記貫通穴を通じて前記導体引出棒を前記套管の先端側に支持して前記電力ケーブルに張力を付与した状態で、前記套管を前記電力ケーブルの絶縁体側に向けて牽引することを特徴とする電力ケーブル終端接続部の組立方法。
【請求項２】
前記套管を前記電力ケーブルの絶縁体側に向けて牽引する際に、前記導体引出棒を前記套管の先端側へ向けて牽引することを特徴とする請求項１に記載の電力ケーブル終端接続部の組立方法。
【請求項３】
套管の貫通穴に電力ケーブルを挿入し、前記電力ケーブルに前記套管を装着して電力ケーブル終端接続部を組み立てる電力ケーブル終端接続部の組立方法であって、
前記貫通穴の直線性を維持するように保持している前記套管の後端側から、段剥ぎ処理された前記電力ケーブルの導体の先端に取り付けた導体引出棒を挿入する際、前記貫通穴を通じて前記導体引出棒を前記套管の先端側へ向けて牽引することを特徴とする電力ケーブル終端接続部の組立方法。
【請求項４】
套管の貫通穴に電力ケーブルを挿入し、前記電力ケーブルに前記套管を装着して電力ケーブル終端接続部を組み立てる電力ケーブル終端接続部の組立工具であって、
段剥ぎ処理された前記電力ケーブルの導体の先端に取り付けた導体引出棒を、前記貫通穴を通した支持部材を介して前記套管の先端側で支持するとともに、前記電力ケーブルの絶縁体部分を前記套管の後端側で支持する架台を備え、
前記架台は、前記電力ケーブルに張力を付与した状態でその電力ケーブルを支持し、前記套管を前記電力ケーブルの絶縁体側に向けて牽引可能とすることを特徴とする電力ケーブル終端接続部の組立工具。
【発明の詳細な説明】
【技術分野】
【０００１】
本発明は、電力ケーブル終端接続部の組立方法及びその組立工具に関し、特に、電力ケーブルに套管を装着して電力ケーブル終端接続部を組み立てる、電力ケーブル終端接続部の組立方法及びその組立工具に関する。
【背景技術】
【０００２】
電力ケーブルの終端部を保護・絶縁するために、電力ケーブルの終端部をゴム製の管状の套管に挿入した構造の電力ケーブル終端接続部がある。
ゴム製の套管に電力ケーブルを挿入して電力ケーブル終端接続部を組み立てる場合に、套管の貫通穴の内径に比べて電力ケーブルの外径が大きいので、挿入に伴い作用する摩擦力が大きく、人力での挿入が困難である。その対策として、接続工具を利用して套管を電力ケーブルに向けて牽引することで、套管を電力ケーブルに装着して電力ケーブル終端接続部を組み立てる技術が知られている（例えば、特許文献１参照。）。
【先行技術文献】
【特許文献】
【０００３】
【特許文献１】特開２００９−１７１７２１号公報
【発明の概要】
【発明が解決しようとする課題】
【０００４】
上記特許文献１の技術を適用する際、導体が太い電力ケーブルは剛性が高く曲がり難く直線性が保たれるので、套管に電力ケーブルを挿入しやすい。一方、導体が細い電力ケーブルは剛性が低く挿入に伴う摩擦力に抗することができずに電力ケーブルが曲がってしまうので、套管に電力ケーブルを挿入しにくくなり、電力ケーブル終端接続部の組み立てが困難になるという問題があった。
【０００５】
本発明の課題は、套管を電力ケーブルに容易に装着することが可能な電力ケーブル終端接続部の組立方法及びその組立工具を提供することである。
【課題を解決するための手段】
【０００６】
以上の課題を解決するため、本発明の一の態様は、
套管の貫通穴に電力ケーブルを挿入し、前記電力ケーブルに前記套管を装着して電力ケーブル終端接続部を組み立てる電力ケーブル終端接続部の組立方法であって、
段剥ぎ処理された前記電力ケーブルの導体の先端に取り付けた導体引出棒を前記套管の後端側から挿入する際に、前記貫通穴を通じて前記導体引出棒を前記套管の先端側に支持して前記電力ケーブルに張力を付与した状態で、前記套管を前記電力ケーブルの絶縁体側に向けて牽引することを特徴としている。
【０００７】
この電力ケーブル終端接続部の組立方法によれば、電力ケーブルの先端側の導体引出棒を、套管の貫通穴を通じて套管の先端側に支持することで、電力ケーブルに張力を付与した状態で維持することができ、その電力ケーブルを直線状に維持することが可能である。
そして、電力ケーブルの導体の先端に取り付けた導体引出棒を套管の後端側から挿入する際に電力ケーブルに張力を付与し、その電力ケーブルの直線性を維持した状態で、套管を電力ケーブルの絶縁体側に向けて牽引することで、その電力ケーブルを貫通穴に容易に挿入でき、套管を電力ケーブルに容易に装着することができる。
【０００８】
また、好ましくは、前記套管を前記電力ケーブルの絶縁体側に向けて牽引する際に、前記導体引出棒を前記套管の先端側へ向けて牽引する。
【０００９】
電力ケーブルを套管の貫通穴に挿入して電力ケーブル終端接続部を組み立てる際に、套管を電力ケーブルの絶縁体側に向けて牽引し、導体引出棒の付いた電力ケーブルを套管の先端側へ向けて牽引するように、套管と電力ケーブルを互い違いの方向に牽引することによって、牽引されて張力が付与された電力ケーブルの直線性が維持される。
つまり、套管と電力ケーブルを互い違いの方向に牽引して、套管の貫通穴に電力ケーブルを挿入する組立方法によれば、直線性が維持される電力ケーブルを貫通穴に挿入しやすく、套管を電力ケーブルに容易に装着することが可能になる。
【００１０】
また、本発明の態様は、
套管の貫通穴に電力ケーブルを挿入し、前記電力ケーブルに前記套管を装着して電力ケーブル終端接続部を組み立てる電力ケーブル終端接続部の組立方法であって、
前記貫通穴の直線性を維持するように保持している前記套管の後端側から、段剥ぎ処理された前記電力ケーブルの導体の先端に取り付けた導体引出棒を挿入する際、前記貫通穴を通じて前記導体引出棒を前記套管の先端側へ向けて牽引することを特徴としている。
【００１１】
この電力ケーブル終端接続部の組立方法によれば、套管の後端側から電力ケーブルを挿入する際、貫通穴の直線性を維持するように套管を保持し、電力ケーブルの導体の先端に取り付けた導体引出棒を套管の先端側へ向けて牽引することで、電力ケーブルの直線性を維持した状態でその電力ケーブルを貫通穴に容易に挿入でき、套管を電力ケーブルに容易に装着することができる。
【００１２】
また、本発明の他の態様は、
套管の貫通穴に電力ケーブルを挿入し、前記電力ケーブルに前記套管を装着して電力ケーブル終端接続部を組み立てる電力ケーブル終端接続部の組立工具であって、
段剥ぎ処理された前記電力ケーブルの導体の先端に取り付けた導体引出棒を、前記貫通穴を通した支持部材を介して前記套管の先端側で支持するとともに、前記電力ケーブルの絶縁体部分を前記套管の後端側で支持する架台を備え、
前記架台は、前記電力ケーブルに張力を付与した状態でその電力ケーブルを支持し、前記套管を前記電力ケーブルの絶縁体側に向けて牽引可能とすることを特徴としている。
【００１３】
この電力ケーブル終端接続部の組立工具によれば、電力ケーブルの先端側の導体引出棒と電力ケーブルの絶縁体部分を架台に支持することで、架台が電力ケーブルに張力を付与した状態でその電力ケーブルを保持することができる。これにより、套管の貫通穴に通された支持部材に沿って、その套管を電力ケーブルの絶縁体側に向けて牽引する際に、電力ケーブルは曲がることなく直線状に維持される。
そして、組立工具と支持部材によって電力ケーブルに張力を付与し、電力ケーブルの直線性を維持した状態で、套管を電力ケーブルの絶縁体側に向けて牽引することで、その電力ケーブルを貫通穴に容易に挿入でき、套管を電力ケーブルに容易に装着することができる。
【発明の効果】
【００１４】
本発明によれば、電力ケーブルの導体の先端に取り付けた導体引出棒を套管の貫通穴の後端側から挿入する際に電力ケーブルに張力を付与し、その電力ケーブルの直線性をより維持した状態で、套管を電力ケーブルの絶縁体側に向けて牽引することで、その電力ケーブルを貫通穴に容易に挿入でき、套管を電力ケーブルに容易に装着することができる。
【図面の簡単な説明】
【００１５】
【図１】電力ケーブルと、電力ケーブルに装着する套管を、一部断面にして示す説明図である。
【図２】電力ケーブルを套管に挿入して電力ケーブル終端接続部を組み立てる状態を示す説明図である。
【図３】接続工具における第１治具を示す平面図（ａ）と、図３（ａ）のｂ−ｂ線における断面図（ｂ）である。
【図４】第１治具を分解して示す平面図である。
【図５】組立工具を用いて、電力ケーブルを套管に挿入して電力ケーブル終端接続部を組み立てる状態を示す説明図である。
【発明を実施するための形態】
【００１６】
以下に、本発明を実施するための好ましい形態について図面を用いて説明する。但し、以下に述べる実施形態には、本発明を実施するために技術的に好ましい種々の限定が付されているが、本発明の範囲を以下の実施形態及び図示例に限定するものではない。
【００１７】
（実施形態１）
図１は、套管２の半分を断面にした状態で示し、電力ケーブル１０の一部を断面にした状態で示した説明図である。
この電力ケーブル１０に套管２を装着して電力ケーブル終端接続部１を組み立てる。
【００１８】
套管２は、例えば、シリコンゴム等の絶縁性のゴム材料を管状に成型したものであり、先端側のひだ付部５と、後端側の胴体部４を有している。
ひだ付部５と胴体部４には、套管２の軸線方向Ｌに沿う貫通穴８が形成されている。この套管２内の貫通穴８に電力ケーブル１０を挿入する。
【００１９】
ひだ付部５は、ほぼ同じ直径を有する管体の外周面に所定の間隔をおいて形成された複数の大小のリング状のひだ６，７を備えている。
【００２０】
胴体部４は、その内部に半導電部３を内蔵している。半導電部３はストレスリリーフコーンであり、例えば、シリコンゴムにカーボンを添加した半導電性シリコンゴムにより形成されている。好ましくは、套管２をモールド成型する際に、套管２に半導電部３を一体化するように形成する。
また、胴体部４は、大径部２０と中径部２１と小径部２２を有しており、ひだ付部５側が大径部２０、套管２の後端側の端部が小径部２２、大径部２０と小径部２２の間が中径部２１となっている。図１に示すように、胴体部４の大径部２０の外径寸法は、ひだ付部５の最も大きい外径寸法に比べて大きく、大径部２０とひだ付部５の間には段差部２３が形成されている。
この段差部２３は、テーパ面を有しており、套管２の軸線方向Ｌと直交する仮想線Ｌ１とテーパ面とがなす角度はθ１である。
【００２１】
電力ケーブル１０は、中心の導体１１と、導体１１を被覆する電気絶縁層１２と、電気絶縁層１２を被覆する外部半導電層１３と、外部半導電層１３を被覆する絶縁体のシース１４と、導体１１の先端に取り付けた導体引出棒１５とを備えている。この電力ケーブル１０の端部が段剥ぎされており、シース１４、外部半導電層１３、電気絶縁層１２が順次露出し、その先端側で導体１１が露出している。
導体引出棒１５は、導電性を有し、例えば、銅、アルミニウム、銅合金、アルミニウム合金その他の金属からなる。導体引出棒１５の基端部の後面には、導体嵌入孔１６が形成されている。この導体嵌入孔１６に電力ケーブル１０の導体２の先端部を嵌入して、導体嵌入孔１６を縮径するように導体引出棒１５の基端部を圧縮することで、導体引出棒１５を導体１１に取り付けている。
また、導体引出棒１５は、電力ケーブル１０を貫通穴８に挿入しやすいようにするために、その前面部にテーパ面１７を有している。
なお、套管２の貫通穴８の内径は、電力ケーブル１０の電気絶縁層１２及び外部半導電層１３の外径寸法に比べて小さく設計しており、電力ケーブル１０を貫通穴８に挿入することで、胴体部４とひだ付部５が半径方向外側に弾性変形して膨らむようになっている。
【００２２】
次に、套管２の貫通穴８に電力ケーブル１０を挿入し、電力ケーブル１０に套管２を装着して電力ケーブル終端接続部１を組み立てる組立方法について説明する。
まず、電力ケーブル１０に套管２を装着する際に、套管２を電力ケーブル１０に向けて牽引するために、套管２に取り付ける接続工具４０について説明する。
【００２３】
接続工具４０は、図２に示すように、套管２のひだ付部５と胴体部４の間に取り付ける第１治具４１と、ひだ付部５の先端部に配置する第２治具４２と、第１治具４１と第２治具４２を連結する連結部材５１と、第１治具４１に一端部を固定する第１牽引部材５２等を備えている。
【００２４】
第１治具４１は、図３、図４に示すように、第１板部６１と第２板部６２がボルト６３で締結されてなる金属製の板状部材である。
【００２５】
第１板部６１は、半円形状の第１開口部７１と、半リング形状の第１傾斜面７２と、係入部７３，７３と、第１締結部７４，７４と、第１突当面７６，７６等を有している。第１傾斜面７２は、第１開口部７１の周囲に沿って形成されており、套管２の軸線方向Ｌと直交する仮想線Ｌ１と第１傾斜面７２とがなす角度はθである。この第１傾斜面７２がなす角度は、好ましくは套管２の段差部２３のテーパ面がなす角度θ１と同じである。
第２板部６２は、半円形状の第２開口部８１と、半リング形状の第２傾斜面８２と、被係入部８３，８３と、第２締結部８４，８４と、第２突当面８６，８６等を有している。第２傾斜面８２は、第２開口部８１の周囲に沿って形成されており、套管２の軸線方向Ｌと直交する仮想線Ｌ１と第２傾斜面８２とがなす角度はθである。この第２傾斜面８２がなす角度は、好ましくは套管２の段差部２３のテーパ面がなす角度θ１と同じである。
【００２６】
そして、第１突当面７６，７６と第２突当面８６，８６を突き合わせるように、第２板部６２の被係入部８３，８３に第１板部６１の係入部７３，７３を嵌め合わせ、第１締結部７４，７４と第２締結部８４，８４をボルト６３で締め付けて、第１治具４１を形成する。
この第１治具４１における傾斜面（第１傾斜面７２、第２傾斜面８２）がある面に前記第１牽引部材５２を固定するリング部材３０を設けており、その反対側の面に前記連結部材５１を固定するリング部材９５を設けている。
【００２７】
このように第１治具４１は、第１板部６１と第２板部６２を有しており、第１板部６１と第２板部６２で、套管２の段差部２３を挟み込むように取り付けることができるので、ひだ付部５のひだ６，７等を損傷しないように、第１治具４１を套管２に取り付けることができる。
また、第１治具４１において、半径Ｒの第１開口部７１と半径Ｒの第２開口部８１とが合わさってなる円形開口の直径２Ｒは、套管２のひだ付部５の管体の外径寸法よりも大きく設計している。これは、電力ケーブル１０を套管２の貫通穴８に挿入することで、ひだ付部５が半径方向外側に弾性変形して膨らみ、ひだ付部５の外径寸法が大きくなった際に、このひだ付部５の外周部が第１治具４１に押し付けられて、ひだ付部５が損傷してしまうことを防ぐためである。
【００２８】
第２治具４２は、中心に開口９１が形成された１枚の金属板からなる板状部材である。
第２治具４２は、開口９１と、開口９１の周囲に形成された受容部９２と、リング部材９３を有している。
受容部９２は、套管２のひだ付部５の先端部を保持し、その先端部を収容可能な内径のサイズを有している。受容部９２の内径は、ひだ付部５の外径寸法よりも大きく設計している。これは、套管２の貫通穴８に電力ケーブル１０を挿入した際に、ひだ付部５が半径方向外側に弾性変形して膨らむことを考慮した結果である。
開口９１は、受容部９２の略中央に形成されており、ひだ付部５内の貫通穴８から突出する導体引出棒１５が突き出るようになっている。
【００２９】
そして、第２治具４２におけるリング部材９３に連結部材５１の一端部を固定し、その連結部材５１の他端部を第１治具４１におけるリング部材９５に固定している。
連結部材５１は、伸びの少ないまたは電力ケーブル１０を挿入するための牽引力の範囲では伸びの無い線状部材（含む、帯状部材）であり、例えば、ナイロン製ロープやナイロン製ベルト、金属ワイヤ、金属チェーンや金属ベルトあるいは金属棒である。この連結部材５１は、ひだ付部５の軸線方向の長さと略同じ長さを有している。
また、第１治具４１におけるリング部材３０には、第１牽引部材５２の一端部を固定している。第１牽引部材５２は連結部材５１と同様の線状部材あるいは帯状部材である。
【００３０】
次に、接続工具４０を用いて電力ケーブル１０に套管２を装着し、電力ケーブル終端接続部１を組み立てる組立方法について説明する。
【００３１】
図２に示すように、作業者は、第２治具４２の受容部９２に套管２のひだ付部５の先端部を収め、第１治具４１の第１板部６１と第２板部６２で段差部２３を挟み込むようにして、接続工具４０を套管２に取り付ける。
また、作業者は、電力ケーブル１０の導体引出棒１５の先端部にリング部材１８を固定し、そのリング部材１８に第１牽引部材５２と同様の材料からなる第２牽引部材５３の一端部を固定する。その第２牽引部材５３は套管２の貫通穴８を通して、第２牽引部材５３の他端部をひだ付部５の先端側から引き出す。
【００３２】
そして、第１治具４１に固定している第１牽引部材５２の他端部を、図示しない牽引力発生装置で第１治具４１が第２治具４２から離間する方向に向けて牽引することで、套管２を電力ケーブル１０の絶縁体側に向けて牽引する。
また、第１牽引部材５２を牽引して接続工具４０を取り付けた套管２を牽引することに合わせて、導体引出棒１５先端のリング部材１８に固定している第２牽引部材５３の他端部を、図示しない牽引力発生装置で套管２の牽引方向とは逆向きに牽引し、電力ケーブル１０を套管２のひだ付部５の先端側へ向けて牽引する。牽引される電力ケーブル１０には張力が付与されて、電力ケーブル１０は直線状に維持される。
この牽引により、導体引出棒１５が套管２の貫通穴８の後端から挿入されて、電力ケーブル１０が貫通穴８に圧入されて引き込まれていく。なお、牽引は、導体引出棒１５が套管２のひだ付部５の先端から突出するまで行なう。
【００３３】
このように、電力ケーブル１０に套管２を装着して電力ケーブル終端接続部１を組み立てる際に、套管２と電力ケーブル１０を互い違いの方向に牽引することによって、牽引されて張力が付与された電力ケーブル１０の直線性が維持される。
つまり、套管２と電力ケーブル１０を互い違いの方向に牽引して、套管２の貫通穴８に電力ケーブル１０を挿入する組立方法によれば、電力ケーブル１０の直線性がより維持されるので貫通穴８に挿入しやすく、套管２を電力ケーブル１０に容易に装着することが可能になる。
【００３４】
例えば、導体断面積６００ｍｍ２以上のＣＶケーブルのように、導体が太く電力ケーブルの剛性が高い場合には、その電力ケーブルは曲がり難いので、套管の貫通穴に電力ケーブルを挿入することに支障が生じることは少ない。
これに対し、例えば、導体断面積４００ｍｍ２以下のＣＶケーブルのように、導体が細く電力ケーブルの剛性が低い場合、従来のように、套管を電力ケーブルに向けて牽引して、套管の貫通穴に電力ケーブルを挿入する手法では、張力が付与されていない電力ケーブルは曲がりやすく、套管の貫通穴に電力ケーブルを挿入する際に支障をきたすことがあった。
そこで、本発明のように、套管２と電力ケーブル１０を互い違いの方向に牽引して、套管２の貫通穴８に電力ケーブル１０を挿入する組立方法によれば、剛性が低い電力ケーブル１０であっても、牽引による張力が付与されることで直線性が維持されるので、どのような導体断面積の電力ケーブル１０に対しても套管２を容易に装着することができるのである。
【００３５】
（実施形態２）
次に、本発明に係る電力ケーブル終端接続部の組立方法に関する実施形態２について説明する。なお、実施形態１と同様の構成については、同符号を付して説明を割愛する。
【００３６】
図５は、電力ケーブル１０に套管２を装着して電力ケーブル終端接続部１を組み立てる際に、接続工具４０とともに使用する組立工具１００を示す概略図である。
組立工具１００は、前面部１０１、後面部１０２、前面部１０１と後面部１０２を繋ぐ側面部１０３等を備える架台であるフレーム１００ａを有している。
前面部１０１の内面に、リング部材１１０を配設している。
後面部１０２には、組立工具１００の外側から貫入された電力ケーブル１０をシース１４の部分で保持するケーブル保持部１２０を配設している。
そして、組立工具１００の前面部１０１と後面部１０２の間の長さは、套管２の軸線方向の長さの約２倍である。
【００３７】
この組立工具１００と接続工具４０を用いて電力ケーブル１０に套管２を装着し、電力ケーブル終端接続部１を組み立てる組立方法について説明する。
【００３８】
図５に示すように、作業者は、組立工具１００の内側に套管２を載置し、その套管２に接続工具４０を取り付ける。なお、套管２は、ひだ付部５を前面部１０１側に向けて、前面部１０１寄りに載置される。
次いで、作業者は、導体引出棒１５が前面部１０１と後面部１０２の略中間に位置するように、ケーブル保持部１２０から組立工具１００内に電力ケーブル１０を貫入する。その電力ケーブル１０の導体引出棒１５の先端部にリング部材１８を固定して、リング部材１８に第２牽引部材５３の一端部を固定する。その第２牽引部材５３を套管２の貫通穴８に通し、ひだ付部５の先端側から第２牽引部材５３の他端部を引き出して、その第２牽引部材５３の他端部を前面部１０１のリング部材１１０に固定する。そして、貫通穴８を通した第２牽引部材５３を介し、導体引出棒１５を套管２の先端側に支持して電力ケーブル１０に張力を付与する。ここで、第２牽引部材５３を牽引することはなく、第２牽引部材５３は電力ケーブル１０の導体引出棒１５を組立工具１００の前面部１０１のリング部材１１０に繋いで、その導体引出棒１５を套管２の先端側で支持する支持部材として機能している。
この状態で、第１治具４１に固定している第１牽引部材５２の他端部を、図示しない牽引力発生装置で第１治具４１が第２治具４２から離間する方向に向けて牽引することで、套管２を電力ケーブル１０の絶縁体側に向けて牽引する。この牽引の際、電力ケーブル１０には張力が付与されており、電力ケーブル１０は直線状に維持される。
そして、この牽引により導体引出棒１５が套管２の貫通穴８の後端から挿入されて、電力ケーブル１０が貫通穴８に圧入されて引き込まれていく。なお、牽引は、導体引出棒１５が套管２のひだ付部５の先端から突出するまで行なう。
【００３９】
このように、電力ケーブル１０に套管２を装着して電力ケーブル終端接続部１を組み立てる際に、導体引出棒１５が支持部材である第２牽引部材５３を介して組立工具１００に支持されており、電力ケーブル１０に張力が付与されているので、電力ケーブル１０は直線状に維持される。
つまり、組立工具１００を利用して電力ケーブル１０に張力を付与し、電力ケーブル１０の直線性を維持するようにすることで、電力ケーブル１０を牽引せずに套管２を一方向に牽引することによっても、直線性をより維持した状態で電力ケーブル１０を貫通穴８に良好に挿入でき、套管２を電力ケーブル１０に容易に装着することが可能になる。
そして、組立工具１００を利用して電力ケーブル１０に張力を付与した状態で、電力ケーブル１０に向けて套管２を牽引して、套管２の貫通穴８に電力ケーブル１０を挿入する組立方法によれば、剛性が低い電力ケーブル１０であっても付与された張力によって直線性が維持されるので、どのような規格の電力ケーブル１０に対しても套管２を容易に装着することができる。
【００４０】
なお、本発明の適用は上述した実施形態に限定されることなく、本発明の趣旨を逸脱しない範囲で適宜変更可能である。
【００４１】
例えば、実施形態１において、套管２と電力ケーブル１０を互い違いの方向に牽引し、套管２の貫通穴８に電力ケーブル１０を挿入するとしたが、套管２が変形しないように張力を付与して保持した状態で、電力ケーブル１０を一方向に牽引して套管２の貫通穴８に電力ケーブル１０を挿入してもよい。
つまり、貫通穴２の直線性を維持するように套管２を保持した状態で、電力ケーブル１０の導体１１の先端に取り付けた導体引出棒１５を套管２の後端側から挿入する際、その貫通穴８を通じて導体引出棒１５を套管２のひだ付部５の先端側へ向けて牽引することで、套管２に電力ケーブル１０を組み付けて、電力ケーブル終端接続部１を組み立ててもよい。このような手法によっても、套管２を電力ケーブル１０に容易に装着することができる。
【符号の説明】
【００４２】
１      電力ケーブル終端接続部
２      套管
２０    大径部
２３    段差部
４      胴体部
５      ひだ付部
６、７  ひだ
８      貫通穴
１０    電力ケーブル
１１    導体
１４    シース（絶縁体）
１５    導体引出棒
１８    リング部材
４０    接続工具
４１    第１治具
４２    第２治具
５１    連結部材
５２    第１牽引部材
５３    第２牽引部材（支持部材）
１００  組立工具
１００ａ  フレーム（架台）
１１０  リング部材
１２０  ケーブル保持部
【図１】
2011147301.tif 000003
【図２】
2011147301.tif 000004
【図３】
2011147301.tif 000005
【図４】
2011147301.tif 000006
【図５】
2011147301.tif 000007